(57)【要約】【課題】浴槽の側壁に設けられた配管接続部の施工やメンテナンスに要するスペースを縮小させるとともに、配管接続部の施工性やメンテナンス性を向上させることができる浴槽外部配管の水受構造を提供すること。【解決手段】浴槽１２の側壁１６に設けられて配管２０、２２と浴槽１２とを接続する追い焚き用アダプタ１８と、側壁１６に設けられて追い焚き用アダプタ１８の下方に位置する水受パン３４と、追い焚き用アダプタ１８と配管２０、２２との接続部分Ｊを覆い、内周面３８Ｄで受け止めた水を水受パン３４へと落下させ、且つ接続部分Ｊを覆う位置から配管２０、２２の延在方向に沿って移動可能な水飛散防止カバー３８と、を浴槽外部配管の水受構造が備えることで、側壁１６の追い焚き用アダプタ１８の施工やメンテナンスに要するスペースを縮小させるとともに、追い焚き用アダプタ１８の施工性やメンテナンス性を向上させることができる。【選択図】図３
2009168334.tif 000002
【特許請求の範囲】
【請求項１】
浴槽と、
前記浴槽の側壁に設けられ、配管と前記浴槽とを接続する配管接続部と、
前記側壁に設けられ、前記配管接続部の下方に位置する水受パンと、
前記配管接続部と前記配管との接続部分を覆い、内周面で受け止めた水を前記水受パンへと落下させる筒状の水受カバーと、を備え、
前記水受カバーが前記接続部分を覆う位置から前記配管の延在方向に沿って移動可能であることを特徴とする浴槽外部配管の水受構造。
【請求項２】
前記水受カバーの前記配管側の開口が閉塞部材によって閉塞されることを特徴とする請求項１に記載の浴槽外部配管の水受構造。
【請求項３】
前記水受カバーの内周面の下側が水平方向に対して前記配管接続部側が前記配管側よりも下側となるように傾斜することを特徴とする請求項２に記載の浴槽外部配管の水受構造。
【請求項４】
前記水受カバーは透明材料又は半透明材料で構成されていることを特徴とする請求項１〜請求項３の何れか１項に記載の浴槽外部配管の水受構造。
【発明の詳細な説明】
【技術分野】
【０００１】
本発明は、配管接続部により配管が接続される浴槽の浴槽外部配管の水受構造に関する。
【背景技術】
【０００２】
浴槽と建築躯体との間に防水パンを備えない所謂洗い場一体型浴槽のユニットバスにおいて、追い炊き用の配管を浴槽の側壁に空けられた孔に通して浴槽の側壁に接続する場合、この配管接続部からの漏水が発生してしまうと、漏れた水が建築躯体へ流れ落ち、建築躯体がダメージを受ける。このため、配管接続部からの漏水を受ける水受パンや水受ボックスを浴槽の側壁に設置することが行われている（例えば、特許文献１〜４参照）。特に水受ボックスでは、配管接続部全体を覆うことができるため、配管接続部から建築躯体への水の飛散を防止することができる。
【０００３】
ところで、前記した水受ボックスを用いた場合には、配管接続部からの漏水を目視するのに箱体である水受ボックスを浴槽の側壁から取り外す必要がある。しかし、浴槽の側壁と建築躯体との間のスペースの制約上、水受けボックスの取外し作業及び、目視後の水受けボックスの再取付作業を行うための作業スペースを十分に確保できない場合もある。さらに、作業スペースを確保できたとしても、浴槽の側壁と建築躯体との間の狭いスペースでの水受ボックスの取付・取外し作業は、容易な作業ではない。
【特許文献１】実開昭６１−１０６５７１号公報
【特許文献２】特開平１０−１４８４０３号公報
【特許文献３】特開平１−７５８５３号公報
【特許文献４】特開２００７−３５１号公報
【発明の開示】
【発明が解決しようとする課題】
【０００４】
本発明は、上記事実を考慮し、浴槽の側壁に設けられた配管接続部の施工やメンテナンスに要するスペースを縮小させるとともに、配管接続部の施工性やメンテナンス性を向上させることができる浴槽外部配管の水受構造を提供することを目的とする。
【課題を解決するための手段】
【０００５】
上記目的を達成するために、請求項１に記載の浴槽外部配管の水受構造は、浴槽と、前記浴槽の側壁に設けられ、配管と前記浴槽とを接続する配管接続部と、前記側壁に設けられ、前記配管接続部の下方に位置する水受パンと、前記配管接続部と前記配管との接続部分を覆い、内周面で受け止めた水を前記水受パンへと落下させる筒状の水受カバーと、を備え、前記水受カバーが前記接続部分を覆う位置から前記配管の延在方向に沿って移動可能であることを特徴としている。
【０００６】
請求項１に記載の浴槽外部配管の水受構造では、水受パンが、配管接続部の下方に位置して浴槽の側壁に設けられており、配管接続部から漏れ出して浴槽の側壁を伝って流れ落ちる水を受け止める。
また、水受カバーが、配管接続部と配管との接続部分（継ぎ目）を覆っており、この接続部分から漏れ出し飛散する水を内周面で受け止め、水受パンへと落下させる。
よって、配管接続部からの漏水が建築躯体に至るのを防止することができる。
【０００７】
ここで、水受カバーを、接続部分を覆う位置から配管の延在方向に沿って移動させることで、水受カバーを取り外すことなく、接続部分を目視し、接続部分のメンテナンス作業を行うことが可能となる。すなわち、配管接続部のメンテナンス作業を行うことが可能となる。
【０００８】
よって、従来用いられていた水受ボックスを取付・取り外しするような大きな作業スペースが不要となるため、配管接続部のメンテナンスや施工に要するスペースを縮小でき、また、配管接続部のメンテナンス性や施工性を向上させることができる。
【０００９】
請求項２に記載の浴槽外部配管の水受構造は、請求項１に記載の浴槽外部配管の水受構造であって、前記水受カバーの前記配管側の開口が閉塞部材によって閉塞されることを特徴としている。
【００１０】
請求項２に記載の浴槽外部配管の水受構造では、水受カバー内の配管を伝う水が、閉塞部材によって止められて、水受カバーの内周面へ落下される。よって、配管接続部から漏れ出し、配管を伝う水の建築躯体への落下を防止できる。
【００１１】
請求項３に記載の浴槽外部配管の水受構造は、請求項２に記載の浴槽外部配管の水受構造であって、前記水受カバーの内周面の下側が水平方向に対して前記配管接続部側が前記配管側よりも下側となるように傾斜することを特徴としている。
【００１２】
請求項３に記載の浴槽外部配管の水受構造では、水受カバーの内周面の下側が、水平方向に対して配管接続部側が配管側よりも下側となるように傾斜しており、内周面で受け止めた水を一方向へ流す。よって、水受カバー内での水の滞留が防止される。
【００１３】
請求項４に記載の浴槽外部配管の水受構造は、請求項１〜請求項３の何れか１項に記載の浴槽外部配管の水受構造であって、前記水受カバーは透明材料又は半透明材料で構成されていることを特徴とする。
【００１４】
請求項４に記載の浴槽外部配管の水受構造では、水受カバーを透明材料又は半透明材料で構成することにより、水受カバーを、接続部分を覆う位置から移動させなくても、接続部分を目視できるため、配管接続部のメンテナンス性をより一層向上できる。
【発明の効果】
【００１５】
以上説明したように、本発明によれば、浴槽の側壁に設けられた配管接続部のメンテナンスや施工に要するスペースを縮小させるとともに、配管接続部のメンテナンス性や施工性を向上させることができる浴槽外部配管の水受構造を提供することが可能である。
【発明を実施するための最良の形態】
【００１６】
（第１の実施形態）
次に、本発明の浴槽外部配管の水受構造の第１の実施形態を図１〜図４に従って説明する。なお、図中において矢印Ｙで示されるのは水平方向に対して直交する上下方向である。
【００１７】
（浴槽、配管接続部）
図１に示すように、本発明の第１の実施形態に係るユニットバス１０は、浴槽１２及び洗い場１４と建築躯体１との間に防水パンを備えない所謂洗い場一体型浴槽とされており、浴槽１２の洗い場１４側から見て右側の側壁１６には、追い炊き用アダプタ（配管接続部）１８が配設されている。追い炊き用アダプタ１８は、吸い込み用の配管２０と吐き出し用の配管２２とを介して、浴室外部に設置された追い炊き釜（図示省略）に接続されている。
【００１８】
また、浴槽１２の洗い場１４側の側壁２６を覆うエプロン２８には、追い炊き用アダプタ１８を点検するための点検口３０が設けられている。この点検口３０は、通常時にはカバー（図示省略）で覆われ、追い炊き用アダプタ１８の点検時に開放される。
【００１９】
図２に示すように、追い炊き用アダプタ１８は、配管２０、２２が接続される基部１８Ａを浴槽１２の側壁１６の外側に備え、本体部（図示省略）を側壁１６の内側に備えている。基部１８Ａ及び本体部は、側壁１６に形成された貫通孔（図示）に挿通されており、該貫通孔と基部１８Ａ及び本体部との間には、シール材３２が介装されている。
【００２０】
基部１８Ａに設けられ配管２０、２２が結合される配管結合部１８Ｂ、１８Ｃは、上下に並んで洗い場１４側へ略水平に延出しており、これにより、配管２０、２２の上流端側は、上下に並んで洗い場１４側へ略水平に延出している。
【００２１】
（水受パン）
側壁１６の追い炊き用アダプタ１８の下方には、上面を開口した矩形箱状の水受パン３４が固設されている。この水受パン３４は、配管２０、２２に沿って略水平に延在する細長のトレイとされており、一の長辺である側壁３４Ａが、側壁１６に沿って湾曲し、側壁１６に密接した状態で固定されている。また、水受パン３４の一の短辺である側壁３４Ｂには、貫通孔３４Ｃが空けられており、この貫通孔３４Ｃには、排水管３６の一端部が接続されている。一方、排水管３６の他端部は洗い場１４に接続されている（図１参照）。なお、追い炊き用アダプタ１８の全体（但し、側壁１６の外側の全体）、後述する水飛散防止カバー（水受カバー）３８の全体、及び配管２０、２２の追い炊き用アダプタ１８側の一部は、平面視にて水受パン３４と重合している。
【００２２】
（水受カバー）
図２及び図３に示されるように、追い炊き用アダプタ１８の配管結合部１８Ｂ、１８Ｃと、配管２０、２２との接続部分Ｊ（継ぎ目）を覆うように筒状の水飛散防止カバー３８が配置されている。この水飛散防止カバー３８は円筒状であり、接続部分Ｊを全周的に覆うため、接続部分Ｊから飛散した水Ｗを内周面３８Ｄで効果的に受け止めることができる。また、水飛散防止カバー３８の内径は、接続部分Ｊを覆う位置（例えば、図３の位置）から配管２０、２２の延在方向に沿って移動させられるような大きさに設定されている。本実施形態では、配管結合部１８Ｂ、１８Ｃの上下方向の長さが、配管２０、２２の上下方向の長さよりも長いため、水飛散防止カバー３８の軸方向の一端部３８Ａ側（配管側）よりも他端部３８Ｂ側（配管結合部側）で内径が大きくなる形状とされている。これにより、配管２０、２２の上下方向の長さよりも一端部３８Ａ側及び他端部３８Ｂ側の各内径が大きくなり、水飛散防止カバー３８を配管２０、２２の延在方向に沿って移動させることができるようになる。
【００２３】
また、水飛散防止カバー３８の一端部３８Ａには蓋部材（閉塞部材）４０が嵌め込まれている。この蓋部材４０には貫通孔４０Ａ、４０Ｂが形成されており、配管２０、２２が夫々貫通孔４０Ａ、４０Ｂを通って水飛散防止カバー３８外に延出している。貫通孔４０Ａ、４０Ｂの内径と配管２０、２２の外径とは、貫通孔４０Ａ、４０Ｂの各内面と配管２０、２２の各外面とが密着するように設定されている。この蓋部材４０により、水飛散防止カバー３８の一端部３８Ａの開口が閉塞されている。
【００２４】
なお、本実施形態では、一例として水飛散防止カバー３８、及び蓋部材４０を樹脂材料としている。しかし、本発明はこの構成に限定されず、水飛散防止カバー３８が金属材料によって構成されてもよく、蓋部材が金属材料又は、弾性材料（例えばゴムなど）によって構成されてもよいものとする。
【００２５】
次に、第１の実施形態における作用について説明する。
図３に示すように、接続部分Ｊを覆う位置に水飛散防止カバー３８が配置されている場合には、平面視にて追い炊き用アダプタ１８の全体、水飛散防止カバー３８及び配管２０、２２の追い炊き用アダプタ１８側の一部と重合するように水受パン３４が配設されている。このため、配管結合部１８Ｂ、１８Ｃと配管２０、２２との接続部分Ｊから水が漏れ出し飛散する場合には、水飛散防止カバー３８の内周面３８Ｄが飛散する水を受け止める。受け止められた水は、水飛散防止カバー３８の一端部３８Ａが蓋部材４０に閉塞されているため一端部３８Ａ側から他端部３８Ｂへと内周面３８Ｄを伝い、他端部３８Ｂから下方に落下し、水受パン３４に受け止められる。そして、この水は排水管３６を通って洗い場１４側に排水される。
【００２６】
従って、配管結合部１８Ｂ、１８Ｃと配管２０、２２との接続部分Ｊから建築躯体１への水の飛散を防止でき、結果、浴槽１２からの漏水により建築躯体１へダメージが加えられることを防止できる。
【００２７】
また、追い炊き用アダプタ１８と側壁１６との接続部分Ｋから漏れ出して側壁１６を伝って流れ落ちる水は、そのまま水受パン３４により受け止められる。よって、漏水が、側壁１６を伝って建築躯体１へ流れ落ちることを防止できる。
【００２８】
さらに、追い炊き用アダプタ１８と側壁１６との接続部分Ｋや配管結合部１８Ｂ、１８Ｃと配管２０、２２との接続部分Ｊから漏れ出して配管２０、２２を伝って流れる水は、蓋部材４０によって止められて、水飛散防止カバー３８の内周面３８Ｄへ落下される。よって、これらの接続部分から漏れ出し、配管２０、２２を伝う水の建築躯体１への落下を防止できる。
【００２９】
一方、追い炊き用アダプタ１８のメンテナンス時には、点検口３０（図１参照）から追い炊き用アダプタ１８を目視で確認し、点検口３０から手を挿し込んで、点検、補修等を行う。
【００３０】
その際、水飛散防止カバー３８を、接続部分Ｊを覆う位置から配管２０、２２の延在方向に沿って矢印Ｆ方向に移動させることで、水飛散防止カバー３８を取り外すことなく、接続部分Ｊを目視し、接続部分Ｊのメンテナンス作業を行うことができる（図４参照）。
これに対して、追い炊き用アダプタ１８全体を覆う箱型の水受ボックスを側壁１６に装着する場合には、追い炊き用アダプタ１８のメンテナンス時に、該水受ボックスを取り外さなければならず、そのための作業スペースを、側壁１６と建築躯体１（図１参照）との間に確保する必要があり、その分だけ側壁１６と建築躯体１との間のデッドスペースが拡大してしまう。
【００３１】
一方、本実施形態では、水飛散防止カバー３８や水受パン３４を取り外し及び再取付けするための作業スペースが不要となるため、上記デッドスペースを縮小でき、また、側壁１６と建築躯体１との間の限られたスペースにおけるメンテナンス性や施工性を向上させることができる。
【００３２】
なお、第１の実施形態では、水飛散防止カバー３８の形状を、軸方向の一端部３８Ａ側よりも他端部３８Ｂ側で内径が大きくなる形状としているが、本発明はこの構成に限定される必要はなく、水飛散防止カバー３８の外径及び内径が一定径であってもよいものとする。
【００３３】
（第２の実施形態）
次に、本発明の浴槽外部配管の水受構造の第２の実施形態について説明する。なお、第１の実施形態と同様の構成には同一の符号を付し、説明は省略する。
図５（Ａ）に示されるように、本実施形態の水飛散防止カバー５０は、外径が一定径の円筒状とされている。この水飛散防止カバー５０の内周面５０Ｄの下側は、水平方向に対して一端部３８Ａ側が他端部３８Ｂ側よりも上側となるように連続して傾斜している。なお、本実施形態の水飛散防止カバー５０は、図５（Ｂ）に示されるように、断面形状が一端部５０Ａの円形から他端部５０Ｂに向かって下側に延びた楕円形となるように構成されている。しかし、本発明はこの構成に限定される必要はなく、水飛散防止カバー５０の内周面５０Ｄで受け止めた水を一端部５０Ａから他端部５０Ｂへと内周面５０Ｄを伝って流すことができれば、その他の形状であってもよいものとする。
【００３４】
次に、第２の実形態における作用について説明する。
図５（Ａ）に示されるように、水飛散防止カバー５０の内周面５０Ｄの下側が、水平方向に対して一端部３８Ａ側が他端部３８Ｂ側よりも上側となるように連続して傾斜しているため、配管結合部１８Ｂ、１８Ｃと配管２０、２２との接続部分Ｊから飛散した水を内周面５０Ｄで受け止め、一端部３８Ａから他端部３８Ｂへ流すことができる。これにより、水飛散防止カバー５０内に水が滞留するのを防止することができる。
【００３５】
なお、本実施形態では、水飛散防止カバー５０の内周面５０Ｄの下側を水平方向に対して一端部３８Ａ側が他端部３８Ｂ側よりも上側となるように連続して傾斜させる構成としたが、本発明はこの構成に限定される必要はなく、図６に示されるように、外径及び内径が一定径の円筒状の水飛散防止カバー５０の軸方向を水平方向に対して一端部３８Ａ側が他端部３８Ｂ側よりも上側となるように傾斜させてもよいものとする。
【００３６】
（第３の実施形態）
次に、本発明の浴槽外部配管の水受構造の第３の実施形態について説明する。なお、第１の実施形態と同様の構成には同一の符号を付し、説明は省略する。
図７に示されるように、本実施形態の水飛散防止カバー６０は、透明又は半透明の樹脂材料により構成されている。なお、水飛散防止カバー６０の透明度（光透過度）は、水飛散防止カバーを透して追い炊き用アダプタ１８の配管結合部１８Ｂ、１８Ｃや配管２０、２２や側壁１６が視認できるレベルであることが望ましい。
【００３７】
次に、第３の実形態における作用について説明する。
メンテナンス時に、水飛散防止カバー６０を、接続部分Ｊを覆う位置から配管２０、２２の延在方向に沿って矢印Ｆ方向に移動させなくても、透明又は半透明材料で構成された水飛散防止カバー６０を透して配管結合部１８Ｂ、１８Ｃと配管２０、２２との接続部分Ｊを目視で確認することができるため、メンテナンス性をより一層向上できる。
【００３８】
なお、第３の実施形態では、水飛散防止カバー６０に取り付ける閉塞部材を一例としての蓋部材４０としているが、例えば、水飛散防止カバー６０と同じ透明又は半透明材料で構成された蓋部材としてもよいものとする。
【００３９】
（その他の実施形態）
上述の実施形態では、水飛散防止カバーの軸方向と直交する方向の断面の形状を円形としているが、本発明はこの構成に限定される必要はなく、楕円、多角形などであってもよいものとする。
【００４０】
また、上述の実施形態では、水飛散防止カバーの一端部に蓋部材４０が嵌め込まれているが、本発明はこの構成に限定される必要はなく、水飛散防止カバーの一端部に栓部材を押し込んで、一端部の開口を閉塞してもよいものとする。さらに、上述の実施形態では、蓋部材を用いるが、蓋部材を用いなくてもよいものとする。蓋部材を用いずに、配管２０、２２を伝う水を水受パン３４に落下させる必要がある場合には、発泡材や樹脂材により構成されたリングを平面視にて水受パン３４と重合するような位置となるように、配管２０、２２に配置すれば、蓋部材と同様に配管を伝わる水を水受パン３４に落下させることができるようになる。
【００４１】
さらにまた、上述の実施形態に示される水飛散防止カバーは、予め成型された筒体とされるが、本発明はこの構成に限定される必要はなく、図８に示されるように、半円筒体８０、８２の一縁部８０Ａ、８２Ａ同士を回動自在に接続し、他縁部８０Ｂに係合部８０Ｅを形成し、他縁部８２Ｂに係合部８０Ｅに係合される被係合部８２Ｅを形成し、この係合部８０Ｅに被係合部８２Ｅを係合させることで筒体７８となる構成としてもよいものとする。なお、この係合部８０Ｅと被係合部８２Ｅとの係合は、フック部と引掛け部による引掛けや、凹部と凸部による嵌合などの一般的な構造を用いることができる。ここで、半円筒体８０、８２からなる筒体７８を水飛散防止カバーとして用いた場合には、予め成型された筒体よりもさらに施工、及びメンテナンス作業が容易になり、またさらに、この筒体７８は既に設置された浴槽の配管接続部に適用できるため、既に設置された浴槽でも本発明の作用効果を得ることができる。
【００４２】
以上、本発明を特定の実施形態について詳細に説明したが、本発明はかかる実施形態に限定されるものではなく、本発明の範囲内にて他の種々の実施形態が可能であることは当業者にとって明らかである。例えば、本実施形態では、配管接続部として追い炊き用アダプタ１８を用いた例を採って本発明を説明したが、ジェットバス用の配管接続部等の漏水対策にも本発明を適用することで同様の効果を得ることができる。
【図面の簡単な説明】
【００４３】
【図１】本発明の第１の実施形態に係る浴槽外部配管の水受構造を備えるユニットバスを示す側断面図である。
【図２】本発明の第１の実施形態に係る浴槽外部配管の水受構造を示す斜視図である。
【図３】図１の水受カバーの配管の延在方向に沿って切った断面を示す断面図である。
【図４】図３の水受カバーを配管の延在方向に沿って移動させたときの水受カバーの配管の延在方向に沿って切った断面を示す断面図である。
【図５】（Ａ）本発明の第２の実施形態に係る浴槽外部配管の水受構造の水受カバーの配管の延在方向に沿って切った断面を示す断面図である。（Ｂ）図５（Ａ）の水受カバーを矢印Ｂ方向に沿って切った正面図である。
【図６】本発明の第２の実施形態に係る浴槽外部配管の水受構造の変形例の水受カバーの配管の延在方向に沿って切った断面を示す断面図である。
【図７】本発明の第３の実施形態に係る浴槽外部配管の水受構造の水受カバーの側面図である。
【図８】本発明その他の実施形態に係る浴槽外部配管の水受構造の水受カバーの斜視図である。
【符号の説明】
【００４４】
１２    浴槽
１６    側壁
１８    追い炊き用アダプタ（配管接続部）
２０    配管
２２    配管
３４    水受パン
３８    水飛散防止カバー（水受カバー）
３８Ｄ  内周面
４０    蓋部材（閉塞部材）
５０    水飛散防止カバー（水受カバー）
５０Ｄ  内周面
６０    水飛散防止カバー（水受カバー）
７８    筒体（水受カバー）
Ｊ      接続部分
【図１】
2009168334.tif 000003
【図２】
2009168334.tif 000004
【図３】
2009168334.tif 000005
【図４】
2009168334.tif 000006
【図５】
2009168334.tif 000007
【図６】
2009168334.tif 000008
【図７】
2009168334.tif 000009
【図８】
2009168334.tif 000010